(57)【特許請求の範囲】
【請求項１】
一端部に取出口が形成された容器本体と、上記取出口に設けられこの取出口を塞ぐ仕切壁部とこの仕切壁部に形成された透孔とこの透孔を囲んで形成された計量部を有する中栓と、上記中栓の上記透孔に挿通され挿通方向に移動可能に設けられているとともに、上記計量部の上端の開口を閉鎖する第一弁と上記中栓の透孔を上記容器本体側から閉鎖する第二弁を有する弁部材と、上記計量部の開口側に位置し上記第一弁に形成されて、上記第一弁が上記計量部の開口から離間した状態で上記開口に連通し内容液の注ぎ口と空気の流入口となる一対の開口部と、上記弁部材の上記第一弁の周縁部の一部に連続して形成され、上記中栓に対して移動させるときに手をかける操作部と、上記弁部材の上記第二弁周縁部の上記操作部に近い部分に形成され上記第二弁の半径方向に沿って立設されて、上記中栓に摺動可能に当接して上記中栓に対して上記第二弁をガイドするガイド部とを備え、上記弁部材の第一弁が上記中栓の計量部を閉じている状態で、上記計量部の開口の上端面側の上記開口部の端部と、上記計量部の上記上端面との距離は、上記弁部材の、上記仕切壁部の下面と上記第二弁の上面との間の距離とほぼ等しく形成され、上記弁部材は上記中栓に対する移動にともない、上記弁部材が上記中栓の透孔を開き上記計量部の開口部を閉じた計量状態と、上記弁部材が上記中栓の透孔を閉じ上記計量部の開口部を開いた注出状態を、択一的に且つほぼ同時に切り替え可能に設けられていることを特徴とする定量注出容器。
【請求項２】
一端部に取出口が形成された容器本体と、上記取出口に設けられこの取出口を塞ぐ仕切壁部とこの仕切壁部に形成された透孔とこの透孔を囲んで形成された計量部を有する中栓と、上記中栓の上記透孔に挿通され挿通方向に移動可能に設けられているとともに、上記計量部の注出口を閉鎖する第一弁と上記中栓の透孔を上記容器本体側から閉鎖する第二弁を有する弁部材とを備え、上記弁部材の第一弁が上記計量部の注出口を閉じているときに、上記第一弁により上記注出口が開くまでの長さは、上記弁部材の、上記仕切壁部と上記第二弁との間の距離とほぼ等しく形成され、上記弁部材は上記中栓に対する移動にともない、上記弁部材が上記中栓の透孔を開き上記計量部の注出口を閉じた計量状態と、上記弁部材が上記中栓の透孔を閉じ上記計量部の注出口を開いた注出状態を、択一的に且つほぼ同時に切り替え可能に設けられ、上記容器本体は、スクイズ動作可能な柔軟性を有する材質で作られ、上記弁部材には上記第二弁を貫通し上記容器本体の底部に伸びた細管が設けられ、上記弁部材が注出状態の時、上記容器本体を傾けたまま上記容器本体の側面を押圧することにより、上記容器本体内の空気が上記細管から上記第二弁を通過して上記計量部に送り込まれ、上記計量部内の内容液が押し出されることを特徴とする定量注出容器。
【発明の詳細な説明】
【０００１】
【発明の属する技術分野】
この発明は、医薬品等の薬液や化粧液、その他食品等の液体を収容し、一回の使用量を計量して取り出すことができる定量注出容器に関する。
【０００２】
【従来の技術】
従来、例えば薬用育毛剤等の薬液を収容し、一回の使用量を計量して一定化する定量注出容器として、特開２０００−２７２６５０号公報他に開示されている定量注出容器があった。この定量注出容器は、上端に口筒を有する壜体と、前記口筒に密にかつ不動に組み付き、開放した中央部上端に、外鍔を有する栓体を設けた組付き体が設けられている。そして、この組付け体に密にかつ相対回動により一定ストロークで昇降変位すべく外装結合し、上昇限において、前記シール外鍔を上端開口部に密嵌入させる内筒片を、中央に立設した切換え体が設けられている。さらに、該切換え体に密にかつ不動に外嵌して、該切換え体との間に一定容積の計量室を形成し、上端に注出口を開設した有頂筒状の操作体が設けられている。前記注出口内には、上端部を突出可能に嵌入する弁片の下端に、前記注出口の下端開口部に密接する弁座片を周設し、該弁座片と弁片との一体物に、上方への弾力を付勢する弁体が形成された塗布栓が設けられている。そして、該塗布栓を覆って前記壜体の胴部上端に着脱自在に取り付けられるキャップ体が設けられている。
【０００３】
この定量注出容器の使用方法は、まず、キャップ体を壜体からはずし、操作体の位置を確認し計量状態とする。次に、容器を逆さまにし、薬液が計量室に満ちていることを確認する。そして、容器を上向きに戻して数秒間待ち、薬液の余分量が壜体に戻り、薬液の水位が計量線位置にくることを確認する。そして操作体を回して注出状態とし、再び容器を逆さまにして操作体の注出口を頭皮に向けて壜を振って塗布する。使用後は、操作体を計量状態に戻して薬液が操作体の注出口から流れないようにし、キャップを閉めて保管する。
【０００４】
【発明が解決しようとする課題】
上記従来の技術の場合、容器を逆さまにし、それを戻して薬液を計量し、操作体を回して塗布状態とし、再び容器を逆さまにして塗布するため、計量に伴う操作工程が多く面倒であった。また、定量注出容器の取出口に取り付ける部材が多く、構造も複雑なものであった。
【０００５】
そこで、定量注出容器の取出口に取り付ける部材の構造が簡単なものとして、実開昭６０−２４７５６号公報に開示されている定量注出用キャップがあった。これは、その内部を定量室と液溜め室に区分し、定量室側に容器本体内部と連通する流出管を定量室内部へ突出させて設けるとともに、液だめ室側にノズル部を設けてなるキャップ本体と、このキャップ本体のノズル部から摺動自在に挿入されて上記ノズル部と上記流出管を交互に開閉する弁体が設けられているものである。
【０００６】
しかし、この定量注出用キャップも、一旦容器を逆さまにし、それを戻して薬液を計量し、弁体を移動させて塗布状態とし、再び容器を逆さまにして塗布するため、計量に伴う操作工程が多く、操作が面倒であった。
【０００７】
この発明は上記従来の問題点に鑑みてなされたものであり、簡単な構造で計量操作も簡易な定量注出容器を提供することを目的とする。
【０００８】
【課題を解決するための手段】
この発明は、一端部に取出口が形成された容器本体と、上記取出口に設けられこの取出口を塞ぐ仕切壁部とこの仕切壁部に形成された透孔とこの透孔を囲んで形成された筒状の計量部を有する中栓と、上記中栓の上記透孔に挿通され挿通方向に移動可能に設けられているとともに、上記計量部の開口部を閉鎖する第一弁と上記中栓の透孔を上記容器本体側から閉鎖する第二弁を有する弁部材とを備えている定量注出容器である。上記弁部材は、上記中栓に対する移動にともない、上記計量部の開口部と上記中栓の上記透孔とが、一方を開くとほぼ同時に他方を閉じるように形成されている。そして、上記弁部材が上記中栓の上記透孔を開き上記計量部の開口部を閉じた計量状態と、上記弁部材が上記中栓の上記透孔を閉じ上記計量部の開口部を開いた注出状態を択一的に且つほぼ同時に切り替え可能に設けられている。
【０００９】
また、上記弁部材の上記第一弁の周縁部の一部に連続して形成され、上記中栓に対して移動させるときに手をかける操作部と、上記弁部材の上記第二弁の周縁部の、上記操作部に近い部分に形成され、上記中栓に対して摺動可能に当接し上記中栓と上記第二弁の間隔を一定に保持するガイド板等のガイド部が設けられているものである。
【００１０】
また、上記容器本体は、押圧変形によるスクイズ動作可能な柔軟性を有する材質で作られ、上記弁部材の上記第一弁と上記第二弁の少なくとも一方は、上記容器本体の上記取出口の挿通方向に対して略直角に位置し、上記容器本体の側面を押圧して上記容器本体内圧を上昇させることにより、上記弁部材が移動するものである。
【００１１】
さらに、上記容器本体は、押圧変形によるスクイズ動作可能な柔軟性を有する材質で作られ、上記弁部材には上記第二弁を貫通し上記容器本体の底部に伸びた細管が設けられ、上記弁部材が注出状態の時、上記容器本体を傾けたまま上記容器本体の側面を押圧することにより、上記容器本体内の空気が上記細管から上記第二弁を通過して上記計量部に送り込まれ、上記計量部内の内容液が押し出されるものである。
【００１２】
また、上記第二弁には、上記計量部の内周面に摺動可能に密着する筒状の取付部と、上記取付部の側面に形成され上記弁部材の上記第二弁が上記計量部の開口部を開いたときに上記計量部から露出する開口部が設けられている。
【００１３】
この発明の定量注出容器は、容器本体から内溶液を取り出す際には、先ず、上記弁部材により、上記中栓の上記透孔を開き上記計量部の開口部を閉じた計量状態とし、容器本体を逆さまにする。そうすると、容器本体内の内容液が中栓の透孔を通過して計量部内に充満し、計量部の容積と同じ一定量が計量される。その状態のまま手動又は容器本体外から加える圧力により、弁部材を中栓の外方である突出方向へ向かって移動させる。すると、第二弁が中栓の透孔を塞ぐとほぼ同時に、第一弁が計量部の開口部を開き、注出可能状態となる。そして、計量部内に充満した内容液が、計量部の開口部から流出し、一定量の内容液が注出される。
【００１４】
【発明の実施の形態】
以下、この発明の実施形態について図面に基づいて説明する。図１〜図３は、この発明の第一実施形態の定量注出容器１０を示すもので、この実施形態の定量注出容器１０は有底筒状の容器本体１２を有し、容器本体１２は比較的固い合成樹脂で作られている。容器本体１２の上端部には径が小さい円筒状の取出口１４が一体に形成され、取出口１４の外側面には雄ねじ１６が形成されている。
【００１５】
取出口１４には、合成樹脂で作られた中栓１８が嵌合されて取り付けられている。中栓１８には、取付口１４の内側に嵌合される円筒状の取付部２０が設けられ、取付部２０の基端部には、取出口１４の上端部に当接するフランジ部２２が一周して形成されている。
【００１６】
フランジ部２２の外周縁部に連続して、取出口１４の外側を覆う円筒形の装着部２４が設けられ、装着部２４の内側面に雌ねじ２６が形成されている。フランジ部２２の内周縁部に連続して、取付部２０の内側に同心状に延出した仕切壁部２８が一体に形成されている。仕切壁部２８の中央には、円形の透孔３０が形成されている。仕切壁部２８の透孔３０の内周面３０ａには、取付部２０と反対側の面の透孔３０内に突出し、後述する第二弁４４の周縁部に当接する突条部３２が全周にわたって形成されている。
【００１７】
また、フランジ部２２の上方には、円筒状の計量部３４が形成されている。計量部３４の外側面の一部には、垂直方向に形成された所定長さのガイド溝３６が形成され、計量部３４の開口端である上端面３４ａは、注出のしやすさと液切れを良くするために、計量部３４の中心側が低くなる傾斜面状に形成されている。
【００１８】
中栓１８の計量部３４の上端面３４ａ側には、弁部材３８が取り付けられている。弁部材３８には、中栓１８の計量部３４の上端面３４ａの開口部を閉鎖する円形の第一弁４０が設けられ、第一弁４０の周縁部には、計量部３４の上端面３４ａの傾斜に沿って外側縁部に近づくにつれて上方へ向かう段部４１が一周して形成されている。第一弁４０の、計量部３４側の面の中心には、円柱状の支持部４２が第一弁４０に対してほぼ直角に形成されている。支持部４２は、弁部材３８を中栓１８に取り付けた状態で、仕切壁部２８の透孔２６を通過し仕切壁部２８の容器本体１２側に達する長さに設けられ、支持部４２の下端部には、支持部４２に対してほぼ直角な円板状の第二弁４４が一体に形成されている。第二弁４４の半径は中栓１８の仕切壁部２８の透孔３０に密接し嵌合されるものであり、第二弁４４の周縁部は突条部３２に当接し係止される。支持部４２と第二弁４４の角部の一部には、薄板状のガイド板４６が第二弁４４の半径方向に沿って立設されている。ガイド板４６の、支持部４２に対して平行な辺は、中栓１８の、透孔３０内周面３０ａの突条部３２に摺動可能に当接している。
【００１９】
弁部材３８の第一弁４０の周縁部の一部には、中栓１８の計量部３４の、外側面の一部を垂直方向に長く覆う板状の操作部４８が設けられている。操作部４８の外側面には、ほぼ水平方向に長く形成された突起５０が４本形成されている。操作部４８の内側面には、計量部３４に設けられたガイド溝３６に係合する係止突起５２が設けられている。これにより、弁部材３８の中栓１８に対する移動量と移動方向は、係止突起５２がガイド溝３６内を移動することにより規制される。
【００２０】
弁部材３８の第一弁４０の、中栓１８側の面には、中栓１８の計量部３４の内側に摺動可能に差し込まれ計量部３４の開口端を閉鎖する取付部である円筒部５４が形成されている。円筒部５４の、操作部４８近傍と操作部４８と反対側の２箇所には、円筒部５４を切り欠いて形成し、後述する内容液を注出する注ぎ口または空気の流入口となる開口部５６が各々形成されている。
【００２１】
弁部材３８の第一弁４０が中栓１８の計量部３４を閉じているときの、開口部５６の第一弁４０に近い端部と計量部３４の上端面３４ａとの距離は、このときの弁部材３８の仕切壁部２８と第二弁４４の間の距離とほぼ等しく形成されている。
【００２２】
次に、この実施形態の定量注出容器１０の組み立て方法について説明する。まず、中栓１８の計量部３４の開口端から、弁部材３８の支持部４２と第二弁４４、円筒部５４を入れ、操作部４８を計量部３４外側に当接させて外側へ広がるように弾性変形させながら押し込む。そして操作部４８の係止突起５２が中栓１８のガイド溝３６に差し込まれ、操作部４８の弾性変形が元に戻り、互いに係合される。弁部材３８の第二弁４４は、中栓１８の仕切壁部２８の透孔３０を通過して、中栓１８の取付部２０の内側に位置する。透孔３０に第二弁４４を挿通させるとき、透孔３０の内周面３０ａの突条部３２内径よりも、第二弁４４の直径のほうがやや大きいが、突条部３２や仕切壁部２８がわずかに弾性変形するため第二弁４４が透孔３０を通過することができる。
【００２３】
次に、容器本体１２に薬液や化粧溶液等の内容液を入れ、容器本体１２の取出口１４に、あらかじめ弁部材３８を取り付けた中栓１８を取り付ける。このとき、容器本体１２の取出口１４の内側に中栓１８の取付部２０が嵌合され、取出口１４の雄ねじ１６に、中栓１８の雌ねじ２６が螺合される。
【００２４】
そして、容器本体１２から内容液を取り出さずに保管するときは、図１に示すように弁部材３８の係止突起５２を、中栓１８のガイド溝３６の下端部に位置させる。このとき弁部材３８の第一弁４０に設けられた円筒部５４が、中栓１８の計量部３４の開口端に密に嵌合し、液漏れを防ぐ。また、弁部材３８の第二弁４４は、中栓１８の仕切壁部２８から離間し、透孔３０が開口している。
【００２５】
次に、容器本体１２から内容液を取り出して使用するときは、まず、図２に示すように中栓１８の計量部３４が弁部材３８に密閉され透孔３０が解放された計量状態で、容器本体１２をほぼ倒立させる。すると、透孔３０から内容液が流れ込み、中栓１８の計量部３４の内側に充満する。
【００２６】
次に、操作部４８に指を掛けて弁部材３８を中栓１８の外方に向かって移動させる。このとき弁部材３８の係止突起５２は、中栓１８のガイド溝３６内を移動してガイド溝３６の上端部３６ａに位置する。これにより、中栓１８の計量部３４の内周面３４ａから弁部材３８の第一弁４０が離間して、弁部材３８の円筒部５４に形成された一対の開口部５６が露出して開き、それとほぼ同時に中栓１８の透孔３０は、弁部材３８の第二弁４４により閉塞される。この状態で、下方に位置する一方の開口部５６から、計量部３４の内側に溜まった内容液が、内容液の自重により速やかに注出される。このとき他方の開口部５６からは空気が流入し、円滑に内容液が流れ出す。また、中栓１８の透孔３０は、弁部材３８の第二弁４４に閉鎖されているため、余分な内容液が容器本体１２から流れることを防ぎ、計量部３４の内側に満たされた一定量の内容液が取り出される。
【００２７】
使用後は、容器本体１２を起立状態とし、再び操作部４８に指をかけて中栓１８に対して弁部材３８を移動させる。これにより、弁部材３８の第一弁４０が、中栓１８の計量部３４の上端面３４ａを塞いだ状態となり、内容液が不用意にこぼれることなく安全に保管することができる。
【００２８】
この実施形態の定量注出容器１０は、簡単な構造で簡易な操作により、確実に一定量の内容液を計量し、正確に注出することができる。さらに、内容液を取り出すときには弁部材３８を指で移動させるため、任意に確実に取り出すことができる。
【００２９】
次にこの発明の第二実施形態について図４，図５に基づいて説明する。この実施形態の定量注出容器５８は、容器本体１２が、スクイズ可能な柔軟な材質で作られている。そして、容器本体１２の取出口１４の、先端付近の側周面に、後述する中栓６２の係合突起６８がはめ込まれる溝部６０が、一周して形成されている。
【００３０】
取出口１４に取り付けられる中栓６２は、取出口１４の内側に嵌合される円筒状の取付部６４が設けられ、取付部６４の基端部には、取出口１４の上端部に当接するフランジ部６６が一周して形成されている。フランジ部６６の周縁部には、その周縁部から連続し取付部６４側に突出して、容器本体１２の取出口１４の溝部６０に差し込まれる係合突起６８が、全周に形成されている。また、フランジ部６６の内周縁部に連続して、取付部６４の内側に同心的に延出した仕切壁部７０が一体に形成され、仕切壁部７０の中央には円形の透孔７２が形成されている。仕切壁部７０の透孔７２内周面７２ａには、取付部６４とは反対側の面側に、後述する第二弁８６の周縁部に当接する突条部７４が一周して形成されている。
【００３１】
そして、フランジ部６６の上面には、円筒状の計量部７６が形成されている。計量部７６の開口端である上端面７６ａは、注出のしやすさと液切れを良くするために、計量部７６の中心側が低くなる傾斜面状に形成されている。
【００３２】
中栓６２の計量部７６の開口端には、弁部材７８が取り付けられている。弁部材７８は、中栓６２の計量部７６の開口端を閉鎖する円形の第一弁８０が設けられ、第一弁８０の周縁部には、計量部７６の上端面７６ａに沿って、斜め上方へ向かう段部８２が一周して形成されている。第一弁８０の計量部７６側の面の中心には、円柱状の支持部８４が第一弁８０に対してほぼ直角に形成されている。支持部８４は、弁部材７８が中栓６２に取り付けられた状態で、仕切壁部７０の透孔７２を通過し仕切壁部７０の下側に達する長さに設けられ、支持部８４の下端部には、支持部８４に対してほぼ直角な円板状の第二弁８６が一体に形成されている。第二弁８６の半径は中栓６２仕切壁部７０の透孔７２に嵌合されるものであり、第二弁８６の周縁部は仕切壁部７０に密接し、突条部７４で係止される。
【００３３】
弁部材７８の第一弁８０の、中栓６２側の面には、中栓６２の計量部７６の内側に摺動可能に差し込まれる円筒部８８が形成されている。円筒部８８の、直径方向の２箇所には、円筒部８８を切り欠いて形成した注ぎ口である開口部９０が各々形成されている。
【００３４】
また、容器本体１２の取出口１４には、着脱自在な図示しないキャップが雄ねじ１６に螺合可能に設けられている。キャップは容器本体１２の取出口１４基端部付近から中栓６２と弁部材７８を覆う有底筒状に形成され、雄ねじ１６に螺合される雌ねじが設けられている。
【００３５】
次に、この実施形態の定量注出容器５８の使用方法について説明する。まず、容器本体１２から内容液を取り出して使用するときは、図４に示すように中栓６２の計量部７６が弁部材７８の第一弁８０に密閉され透孔７２が解放された計量状態で、容器本体１２をほぼ倒立状態にする。すると、透孔７２から内容液が流れ込み、中栓６２の計量部７６の内側に充満する。
【００３６】
次に、容器本体１２の側面を押す。すると、容器本体１２内の圧力が高まり、弁部材７８が中栓６２の計量部７６から外側に向かって押し出される。これにより、図５に示すように中栓６２の計量部７６から弁部材７８の第一弁８０が離間して、計量部７６の開口端が解放され、弁部材７８の円筒部８８に形成された一対の開口部９０が露出し注出状態となる。同時に、中栓６２の透孔７２は、弁部材７８の第二弁８６に閉鎖され、計量部７６内に圧力がかからないようにするとともに、余分な内容液が容器本体１２から流入することを防ぐ。そして、計量部７６の内側に満たされた一定量の内容液が、下方に位置する一方の開口部９０から、自重により速やかに注出される。このとき他方の開口部９０からは空気が流入し、円滑に内容液が流れ出る。そして使用後は、容器本体１２を起立状態とし、弁部材７８を中栓６２の内側に押し込み、弁部材７８の第一弁８０が中栓６２の計量部７６上端面７６ａを塞いだ計量状態とし、内容液が不用意にこぼれることなく安全に保管することができる。また、内容液を注出した分の空間には空気が入り込み、容器本体１２が潰れた状態になることはない。
【００３７】
この実施形態の定量注出容器５８によれば、容器本体１２を傾けて計量部７６を下方にし、内容液を取り出すときに容器本体１２の側面を押すだけの簡単な操作で、第一弁８０が開口状態となり第二弁８６が閉じて注出状態となり、操作が簡単で便利である。
【００３８】
次にこの発明の第三実施形態について図６〜図８に基づいて説明する。この実施形態の定量注出容器９２は、容器本体１２がスクイズ可能な柔軟な材質で作られている。そして、容器本体１２の取出口１４の、先端付近の側周面に、後述する中栓９４の係合突起６８がはめ込まれる溝部６０が全周に形成されている。
【００３９】
取出口１４に取り付けられる中栓９４は、取出口１４の内側に嵌合される円筒状の取付部６４が設けられ、取付部６４の基端部には、取出口１４の上端部に当接するフランジ部６６が同心状に一周して形成され、さらにフランジ部６６の周縁部に連続し取付部６４側に突出し、容器本体１２の取出口１４の溝部６０に差し込まれる係合突起６８が一周して形成されている。
【００４０】
また、フランジ部６６の内周縁部に連続して、取付部６４の内側に同心的に延出した仕切壁部７０が一体に形成されている。仕切壁部７０の中央には円形の透孔７２が形成されている。仕切壁部７０の透孔７２の周縁部には、取付部６４とは反対側の面に突出する板状の保持部９６が設けられている。保持部９６は、細長い板状体を上方に凸のコの字形に形成され、保持部９６の両方の端面９６ａは、仕切壁部７０に連続している。保持部９６の端面９６ａの一部は、透孔７２の内周面７２ａから少し内側に突出し、後述する閉鎖部１１８の周縁部が当接する。保持部９６の中心には保持部９６を貫通する透孔９８が形成され、透孔９８の周囲には、透孔９８を中心とし保持部９６の外側上方へ突出する円筒部１００が設けられている。円筒部１００は先端が開口し、円筒部１００の内径は、透孔９８よりも大きく形成され、円筒部１００の底部１０２に透孔９６が位置している。そして、中栓９４のフランジ部６６の上面には、円筒状の計量部７６が形成されている。
【００４１】
また、中栓９４の、円筒部１００には、弁部材１０３が摺動可能に取り付けられている。弁部材１０３は、円筒部１００の上方に位置し中栓９４の計量部７６上端面７６ａを閉鎖する第一弁１０４と、円筒部１００の内側から透孔９８を通過して下方に達して取り付けられ中栓９４の透孔７２を閉鎖する第二弁１０５が設けられている。
【００４２】
第一弁１０４は、計量部７６の上端面７６ａを密閉する円板状の天面部１０６が設けられ、天面部１０６の周縁部の少し内側には、中栓９４の計量部７６内側に摺動可能に嵌合される円筒状の取付部１０７が設けられている。天面部１０６の、取付部１０７とは反対側面には、筒状の注出口１０８が天面部１０６を貫通して形成されている。注出口１０８は、天面部１０６に連続する大径部１０８ａと、大径部１０８ａより先端に形成された小径部１０８ｂが設けられている。大径部１０８ａの内周面の径は、中栓９４の円筒部１００が摺動可能に嵌合される大きさであり、小径部１０８ｂの内周面の径は、それより小さく形成されている。そして大径部１０８ａと小径部１０８ｂの内周面の境界には、注出口１０８の挿通方向に対してほぼ直角に対向する当接面１１０が形成されている。当接面１１０には、小径部１０８ｂ内周面に連続して内側に突出し、径が小さい円筒状の支持部１１２が形成されている。支持部１１２には、支持部１１２の長手方向に沿って細長く形成された一対の透孔１１４が形成されている。
【００４３】
第一弁１０４の支持部１１２の先端に当接して一体に、第二弁１０５が設けられている。第二弁１０５は、中栓９４の保持部９６に形成された透孔９８に摺動可能に挿通される円柱部１１６が設けられ、円柱部１１６の円筒部１００内側に位置する端部には、中栓９４の円筒部１００の内周面に向かって広がったフランジ部１１８が一周して形成されている。円柱部１１６の他端部には、中栓９４の仕切壁部７０の透孔７２を閉鎖する円板状の閉鎖部１１８が形成されている。閉鎖部１１８の中央には円柱部１１６内側に連通する挿通孔１２０が形成され、挿通孔１２０は円柱部１１６の途中で円柱部１１６の側方へ開口している。閉鎖部１１８の、円柱部１１６と反対側の面には、挿通孔１２０の周囲に挿通孔１２０を中心とする円筒部１２２が一体に形成されている。円筒部１２２の内周面は挿通孔１２０の内径よりも大きく形成されている。そして、円筒部１２２の内側には、細管１２４が嵌合固定されて取り付けられている。細管１２４の内径は、挿通孔１２０の内径とほぼ同じ大きさである。細管１２４の先端は、容器本体１２の底部１２ａ付近に達している。
【００４４】
また、容器本体１２の取出口１４には、着脱自在なキャップ１２６が雄ねじ１６に螺合可能に設けられている。キャップ１２６は容器本体１２の取出口１４基端部付近から中栓９４と第一弁１０４を覆う有底筒状に形成され、雄ねじ１６に螺合される雌ねじ１２８が設けられている。キャップ１２６の天面の内側面には、側周面近傍に沿って、第一弁１０４の天面部１０６へ突出する円筒状の押圧部１３０が一体に形成されている。またキャップ１２６の天面の、内側面の中央には、第一弁１０４の注出口１０８の内側に嵌合される栓部１３２が一体に形成されている。
【００４５】
次に、この実施形態の定量注出容器９２の使用方法について説明する。まず、容器本体１２から内容液を取り出して使用するときは、図７に示すように弁部材１０３の第一弁１０４が、中栓９４の計量部７６の上端面７６ａに当接した状態で、容器本体１２をほぼ倒立させる。このとき、弁部材１０３の第二弁１０５の閉鎖部１１８は、中栓９４の仕切壁部７０から離間し、透孔７２が開口している。そして、透孔７２から内容液が流れ込み、中栓９４の計量部７６の内側に充満する。
【００４６】
次に、容器本体１２の側面を押す。このとき第二弁１０５が開いているので、容器内と計量部７６内の圧力は等しく、細管１２４から計量部７６へ空気が吹き込まれることはなく、内圧の上昇により第一弁１０４の天面部１０６を外側へ付勢する力だけが掛かる。そして、容器本体１２内の圧力がさらに高まると、中栓９４の計量部７６から第一弁１０４と第二弁１０５が外側に向かって押し出される。これにより、図８に示すように第一弁１０４の天面部１０６は中栓９４の円筒部１００から離間し、第一弁１０４の支持部１１２に形成された透孔１１４が計量部７６と注出口１０８内に露出する。
【００４７】
これにより、注出口１０８と中栓９４の計量部７６内側が連通し、計量部７６の内側に溜まった内容液が流れ出る注出状態となる。このとき、第二弁１０５は閉じており、容器本体１２内の圧力が高まると、容器本体内の圧力は直接計量部７６には伝わらず、容器本体１２内の圧力は細管１２４を通って計量部７６に伝わる。さらに、容器本体１２の押圧を続けると、容器本体１２の内側底部１２ａに溜まっている空気が、細管１２４を通過して第二弁１０５の挿通孔１２０から流れ込む。そして、この空気圧により中栓９４の計量部７６内側に充満した内容液を押し出し、内容液は注出口１０８から外側へ注出される。このとき、中栓９４の透孔７２は、第二弁１０５の閉鎖部１１８に閉鎖され、余分な内容液が容器本体１２から流れることを防ぎ、計量部７６の内側に満たされた一定量の内容液が取り出される。
【００４８】
計量部７６の内側に満たされた一定量の内容液が取り出された後、容器本体１２の押圧を解除する。すると、容器本体１２の弾性力で容器本体１２の形状が元に戻り減圧状態となり、注出口１０８から外側の空気が流入し、流入した空気は中栓９４の内側に充満しさらに第二弁１０５の挿通孔１２０と細管１２４を通過して容器本体１２の中へ流れる。
【００４９】
使用後は、図６に示すように、容器本体１２を起立させ、キャップ１２６を容器本体１２の雄ねじ１６に螺合させて、取り付ける。このとき、外側に突出した第一弁１０４は、キャップ１２６の押圧部１３０に押し下げられて、図６に示すように第一弁１０４の天面部１０６が中栓９４の円筒部１００に当接し注出口１０８が閉鎖される。また第一弁１０４が押し下げられるとき、第二弁１０５は第一弁１０４の支持部１１２に押し下げられ、第二弁１０５の閉鎖部１１８が、中栓９４の仕切壁部７０の透孔７２から離間し、計量状態となる。また、キャップ１２６の栓部１３２は、第一弁１０４の注出口１０８に差し込まれる。
【００５０】
この実施形態の定量注出容器９２によれば、簡単な構造で、内容液を取り出すときには、容器本体１２の側面を押すだけの簡単な操作で、容器本体１２内の空気により、注出口１０８から内容液を注出することができ、短時間で簡単に内溶液を取り出すことができる。
【００５１】
なお、この発明の定量注出容器は、上記各実施の形態に限定されるものではなく、素材や形状、各部材の形状等自由に変更可能である。第一弁と第二弁、中栓の形状は、確実に互いに密着するものであればよい。弁部材の中栓に対する移動方向と距離を規制するガイド溝等の形状も、自由に変更可能である。また、用途は、薬品や化粧品、その他液体を収容して定量取り出すものであれば、種々の用途に利用することができる。
【００５２】
【発明の効果】
この発明の定量注出容器は、簡単な構造による簡易な操作で、確実に一定量の薬液を計量し、正確に定量を注出して使用することができる。さらに、容器のコストも安価にすることができる。そして、これにより、内容液を無駄に使用することが無く、経済的である。特に、弁部材を、指で移動させたり、または容器本体を押してその圧力を利用して移動させたりして注出状態とするため、任意で正確に内溶液の注出を行うことができる。
【図面の簡単な説明】
【図１】  この発明の第一実施形態の注出容器の縦断面図である。
【図２】  この実施形態の注出容器の計量状態を示す拡大縦断面図である。
【図３】  この実施形態の注出容器の注出状態を示す拡大縦断面図である。
【図４】  この発明の第二実施形態の注出容器の計量状態を示す拡大縦断面図である。
【図５】  この実施形態の注出容器の注出状態を示す拡大縦断面図である。
【図６】  この発明の第三実施形態の注出容器の縦断面図である。
【図７】  この実施形態の注出容器の計量状態を示す拡大縦断面図である。
【図８】  この実施形態の注出容器の注出状態を示す拡大縦断面図である。
【符号の説明】
１０  定量注出容器
１２  容器本体
１４  取出口
１６  雄ねじ
１８  中栓
２０  取付部
２２  フランジ部
２４  装着部
２６  雌ねじ
２８  仕切壁部
３０  透孔
３４  計量部
３６  ガイド溝
３８  弁部材
４０  第一弁
４２  支持部
４４  第二弁
４６  ガイド板
４８  操作部
５２  係止突起
５４  円筒部
５６  開口部
【図１】
0004176983.tif 000002
【図２】
0004176983.tif 000003
【図３】
0004176983.tif 000004
【図４】
0004176983.tif 000005
【図５】
0004176983.tif 000006
【図６】
0004176983.tif 000007
【図７】
0004176983.tif 000008
【図８】
0004176983.tif 000009